【手続補正書】
【提出日】平成24年11月12日(2012.11.12)
【手続補正１】
【補正対象書類名】特許請求の範囲
【補正対象項目名】全文
【補正方法】変更
【補正の内容】
【特許請求の範囲】
【請求項１】
プロセッサと、
前記プロセッサに結合されたディスプレイと
前記プロセッサに結合されたコンピュータ可読媒体であって、前記コンピュータ可読媒体は、
（ｉ）画像要素のセットを含む複数の画像要素を含む第１の認証画像を表示するためのコードであって、前記画像要素のセットの中の前記画像要素がディスプレイ画面上の第１セットの位置に配置される、コード、
（ｉｉ）前記第１の認証画像が表示されている間に、前記画像要素のセットに対応する第１の構成を有する第１のグリフをユーザから受信するためのコード、
（ｉｉｉ）前記画像要素のセットを含む前記複数の画像要素を含む第２の認証画像を表示するためのコードであって、前記画像要素のセットの中の前記画像要素が前記ディスプレイ画面上の、前記第１セットの位置とは異なる第２セットの位置に配置される、コード、
（ｉｖ）前記第２の認証画像が表示されている間に、前記画像要素のセットに対応する第２の構成を有する第２のグリフをユーザから受信するためのコードを含む、コンピュータ可読媒体と
を含む、装置。
【請求項２】
前記装置が、パーソナル・コンピュータである、請求項１に記載された装置。
【請求項３】
前記ディスプレイが、タッチ・スクリーンを含み、前記タッチ・スクリーンは、ユーザが指又はスタイラスで前記タッチ・スクリーンに触れることによって前記装置にデータを入力できるようになっている、請求項１に記載された装置。
【請求項４】
前記コンピュータ可読媒体が、デビット・カード又はクレジット・カードのうちの少なくとも１つと関連する少なくとも１つの口座番号のためのコードも格納する、請求項１に記載された装置。
【請求項５】
前記第１のグリフが真正であると認識されるかどうかを示す第１の表示を提供するためのコードと、
前記第２のグリフが真正であると認識されるかどうかを示す第２の表示を提供するためのコードと
をさらに含む、請求項１に記載された装置。
【請求項６】
画像要素のセットを含む複数の画像要素を含む第１の認証画像を表示するステップであって、前記画像要素のセットの中の前記画像要素がディスプレイ画面上の第１セットの位置に配置される、ステップと、
前記第１の認証画像が表示されている間に、前記画像要素のセットに対応する第１の構成を有する第１のグリフをユーザから受信するステップと、
前記画像要素のセットを含む前記複数の画像要素を含む第２の認証画像を表示するステップであって、前記画像要素のセットの中の前記画像要素が前記ディスプレイ画面上の、前記第１セットの位置とは異なる第２セットの位置に配置される、ステップと、
前記第２の認証画像が表示される間に、前記画像要素のセットに対応する第２の構成を有する第２のグリフをユーザから受信するステップと
を含む、方法。
【請求項７】
前記第１の認証画像が、パーソナル・コンピュータに表示される、請求項６に記載された方法。
【請求項８】
前記第１のグリフを受信した後に、前記第１のグリフが真正であると認識されるかどうかを示す第１の表示を提供するステップと、
前記第２のグリフを受信した後に、前記第１のグリフが真正であると認識されるかどうかを示す第２の表示を提供するステップと
をさらに含む、請求項７に記載された方法。
【請求項９】
前記第１のグリフを受信した後に、支払処理ネットワーク又は発行者に認証要求メッセージを送信するステップをさらに含む、請求項６に記載された方法。
【請求項１０】
前記第１の認証画像が３次元画像要素を含む、請求項６に記載された方法。
【請求項１１】
前記第１の認証画像が３次元物体を示し、前記第２の認証画像が３次元空間で回転された前記３次元物体を示す、請求項６に記載された方法。
【請求項１２】
前記第１の認証画像が、前記ディスプレイ画面上の第１の位置に２次元画像要素を含み、前記第２の認証画像が、前記ディスプレイ画面上の異なる位置である第２の位置に２次元画像を含む、請求項６に記載された方法。
【請求項１３】
前記ディスプレイ画面がタッチ・スクリーンである、請求項６に記載された方法。
【請求項１４】
プロセッサと、
前記プロセッサに結合されたディスプレイと、
前記プロセッサに結合されたコンピュータ可読媒体であって、前記コンピュータ可読媒体は、第１の画像要素を表示してグリフを受信するためのコードであって、前記グリフは前記第１の画像要素を第２の画像要素に対する第１の位置から前記第２の画像要素に対する第２の位置へ移動させることによって作成される、コードと、前記グリフを表すデータを含む認証メッセージをサービス・プロバイダに送信するためのコードとを含む、コンピュータ可読媒体と
を含む、装置。
【請求項１５】
前記第１の画像要素を前記第１の位置から前記第２の位置へ移動させることが、前記第１の画像要素上の少なくとも２つの点に触れ、次いで前記２つの触れた点のうちの少なくとも１つを移動させることを含む、請求項１４に記載された装置。
【請求項１６】
前記第１の画像要素が、２次元形状の形式である、請求項１４に記載された装置。
【請求項１７】
第１の画像要素を表示するステップと、
前記第１の画像要素を第２の画像要素に対する第１の位置から前記第２の画像要素に対する第２の位置へ移動させることによって作成されるグリフを受信するステップと、
前記グリフを表すデータを含む認証メッセージをサービス・プロバイダに送信するステップと
を含む、方法。
【請求項１８】
前記第１の画像要素を前記第１の位置から前記第２の位置へ移動させることが、前記第１の画像要素上の少なくとも２つの点に触れ、次いで前記２つの触れた点のうちの少なくとも１つを移動させることを含む、請求項１７に記載された方法。
【請求項１９】
前記第１及び第２の画像要素が、人間を表すものである、請求項１７に記載された方法。
【請求項２０】
前記第１の画像要素が、２次元形状の形式である、請求項１７に記載された方法。
【手続補正２】
【補正対象書類名】明細書
【補正対象項目名】０００７
【補正方法】変更
【補正の内容】
【０００７】
本発明の１つの実施例は、プロセッサと、プロセッサに結合されたディスプレイと、プロセッサに結合されたコンピュータ可読媒体とを備える装置に関するものである。コンピュータ可読媒体は、（ｉ）画像要素のセットを含む複数の画像要素を含む第１の認証画像を表示するためのコードであって、画像要素のセットの中の画像要素がディスプレイ画面上の第１セットの位置に配置される、コード、（ｉｉ）第１の認証画像が表示されている間に、画像要素のセットに対応する第１の構成を有する第１のグリフをユーザから受信するためのコード、（ｉｉｉ）画像要素のセットを含む複数の画像要素を含む第２の認証画像を表示するためのコードであって、画像要素のセットの中の画像要素がディスプレイ画面上の、第１セットの位置とは異なる第２セットの位置に配置される、コード、（ｉｖ）第２の認証画像が表示されている間に、画像要素のセットに対応する第２の構成を有する第２のグリフをユーザから受信するためのコードを含む。
【手続補正３】
【補正対象書類名】明細書
【補正対象項目名】００２２
【補正方法】変更
【補正の内容】
【００２２】
第２の認証画像が表示されている間に、画像要素のセットに対応する第２の構成を有する第２のグリフが、ユーザから受信される。第２の取引中に表示される画像要素の位置は、第１の取引中に表示される画像要素の位置とは異なるので、そして、第２のグリフは同じ画像要素のセットに対応することになるので、第１及び第２のグリフは異なる構成を有することになる。
【手続補正４】
【補正対象書類名】明細書
【補正対象項目名】００３９
【補正方法】変更
【補正の内容】
【００３９】
消費者デバイス４０又は携帯型消費者デバイス３２は、プロセッサに結合されたコンピュータ可読媒体及びディスプレイを含むことができる。コンピュータ可読媒体は、（ｉ）画像要素のセットを含む複数の画像要素を含む第１の認証画像を表示するためのコードであって、画像要素のセットの中の画像要素がディスプレイ画面上の第１セットの位置に配置される、コード、（ｉｉ）第１の認証画像が表示されている間に、画像要素のセットに対応する第１の構成を有する第１のグリフをユーザから受信するためのコード、（ｉｉｉ）画像要素のセットを含む複数の画像要素を含む第２の認証画像を表示するためのコードであって、画像要素のセットの中の画像要素がディスプレイ画面上の、第１セットの位置とは異なる第２セットの位置に配置される、コード、（ｉｖ）第２の認証画像が表示されている間に、画像要素のセットに対応する第２の構成を有する第２のグリフをユーザから受信するためのコードを含むことができる。また、コンピュータ可読媒体は、第１のグリフが真正であると認識されるかどうかを示す第１の表示を提供するコード、及び第２のグリフが真正であると認識されるかどうかを示す第２の表示を提供するコードを含むことができる。